(57)【要約】      （修正有）【課題】無機質板、とりわけ薄物大型無機質板への適用度が高く、あるいはこのような無機質板を、躯体の下地の構造に影響されることなく、高い自由度で割付可能であり、安定して高い固定強度が得られる、無機質板の固定方法およびそのための固定具を提供する。【解決手段】固定具１を用いた、無機質板２の被施工面３への固定方法であって、前記固定具が、前記無機質板の裏面に形成されたスリット２２に係止可能な係止部をその一端側に有し、かつ、当該無機質板の裏面に面で接することが可能な係止板部１１と、前記被施工面に固定され、当該被施工面に接することが可能な前記固定部とを備えてなり、前記固定部が、前記係止板部の、係止部がある一端側とは反対側の他端側に、当該係止板部と交差して接続される。【選択図】図１
2018053686.tif 000002
【特許請求の範囲】
【請求項１】
固定具を用いた、無機質板の被施工面への固定方法であって、
前記固定具が、
前記無機質板の裏面に形成されたスリットに係止可能な係止部をその一端側に有し、かつ、当該無機質板の裏面に面で接することが可能な係止板部と、
前記被施工面に固定され、当該被施工面に接することが可能な固定部と
を備えてなり、
前記係止板部が前記固定部と接続されてなり、
前記固定方法が、
その裏面にスリットが形成された前記無機質板を用意する工程（ｉ）と、
前記スリットに前記固定具の前記係止部を挿入して、前記係止板部で前記無機質板を係止する工程（ｉｉ）と、
前記係止板部で係止した前記無機質板を前記被施工面に接着する工程（ｉｉｉ）と、
前記固定具の前記固定部を前記被施工面に固定する工程（ｉｖ）とを含んでなり、
前記固定方法が、前記固定具の前記係止部によって無機質板が係止されていることを確認する工程（ｖ）をさらに含んでなる、方法。
【請求項２】
前記確認工程（ｖ）が、前記固定具を動かすことにより実施される、請求項１に記載の方法。
【請求項３】
前記固定具が、前記係止部によって前記無機質板が係止されていることを確認可能なつまみ部をさらに有する、請求項１または２に記載の方法。
【請求項４】
前記確認工程（ｖ）が、前記つまみ部を動かすことにより実施される、請求項３に記載の方法。
【請求項５】
前記固定部が、固定板部または固定線部であり、
前記固定板部は、前記被施工面に面で接することが可能であり、
前記係止板部の、前記無機質板の裏面に面で接することが可能な面とは反対側の面と、前記固定板部とが、略同一の面に在る、請求項１〜４のいずれか一項に記載の方法。
【請求項６】
前記固定具の、前記係止板部の係止部以外の部分と固定部とからなる部分の厚みが、前記固定具の前記固定部の前記被施工面への固定後に、前記接着により形成される接着層の厚みよりも小である、請求項１〜５のいずれか一項に記載の方法。
【請求項７】
前記係止板部と前記固定部とが別体である、請求項１〜６のいずれか一項に記載の方法。
【請求項８】
前記固定部が、前記係止板部の、前記係止部がある一端側とは反対側の他端側において、当該係止板部と交差して接続されてなる、請求項１〜７のいずれか一項に記載の方法。
【請求項９】
前記固定部の長さが、前記被施工面の内側に配置された下地のピッチよりも大である、請求項１〜８のいずれか一項に記載の方法。
【請求項１０】
前記固定部が長尺である、請求項１〜９のいずれか一項に記載の方法。
【請求項１１】
前記係止板部が前記固定部の長さ方向に移動可能である、請求項７〜１０に記載の固定具。
【請求項１２】
前記固定具が、一つの固定部と複数の係止板部とを備えてなる、請求項１〜１１のいずれか一項に記載の固定具。
【請求項１３】
前記複数の係止板部が、前記固定部の下側に、同一方向に並んで配置されてなる、請求項１２に記載の固定具。
【請求項１４】
請求項１〜１３のいずれか一項に記載の方法により得られる、被施工面と、当該被施工面に固定された無機質板とを備えてなる構造物。
【請求項１５】
被施工面と、当該被施工面に固定された無機質板とを備えてなる構造物であって、
前記無機質板が、固定具および接着層を介して前記被施工面に固定されてなり、
前記無機質板の裏面に形成されたスリットに、前記固定具の係止板部がその一端側に有する係止部が係止され、かつ、前記無機質板の裏面に前記固定具の係止板部が面で接してなり、
前記固定具の固定部が、前記被施工面に固定され、かつ当該被施工面に接してなり、
前記固定部が、前記係止板部の、前記係止部がある一端側とは反対側の他端側に、当該係止板部と交差して接続されてなり、
前記係止板部の、前記無機質板の裏面に面で接してなる面とは反対側の面が、前記被施工面に接するように構成されてなる、構造物。
【請求項１６】
前記固定具の、前記係止部以外の前記係止板部と前記固定部とからなる部分の厚みが、前記接着層の厚みよりも小である、請求項１４または１５のいずれか一項に記載の構造物。
【請求項１７】
前記被施工面が壁である、請求項１４〜１６のいずれか一項に記載の構造物。
【発明の詳細な説明】
【技術分野】
【０００１】
本発明は、無機質板、とりわけ薄型で大型の陶磁器板を壁などに固定する方法およびそのための固定具に関し、さらに詳しくは、無機質板を接着剤などで接着する固定手段に加えて実施され、その剥落などを防止する方法およびそのための固定具に関する。
【背景技術】
【０００２】
内装または外装材としてタイルなどの無機質板が広く用いられている。これら無機質板の被施工面への固定は、接着剤やモルタルなどで張り付けることにより行われる。さらに、最近では目地を少なくでき、施工の簡略化や意匠の多様化を実現可能な大型陶磁器板が実用化され広く利用されてきており、このような大型陶磁器板についてもその施工は接着剤などによる張付けが一般的である。
【０００３】
このような無機質板、とくに大型陶磁器板を壁面などに施工する場合、経年により剥離や割れが発生しても、剥落および剥落に伴う被害を抑止することが必要になる。大型陶磁器板は薄型とされ軽量化されているものが多いが、薄物大型陶磁器板を特に内装材として用いる場合には、剥落および剥落に伴う被害を抑止可能な施工システムが重要になる。
【０００４】
このような施工システムとして、接着剤などによる接着に加えて、特定の構造を有する固定具を用いて無機質板を被施工面に固定することが行われている。例えば、建物の構造壁面に予め固定される長尺の取付板と、タイルの裏面に形成された溝に係合する係合部を有する板状の取付具本体および上記取付板に引っ掛けるフック部からなるタイル取付具とを備える固定具を用いて、タイルと係合したタイル取付具を取付板に引っ掛けてタイルを構造壁面に固定する方法が提案されている（実用新案登録第３１８９６８２号公報（特許文献１）、実用新案登録第３１８９６８３号公報（特許文献２））。この固定具は、タイル取付具の形状が複雑であり、またタイル取付具と取付板との組み合わせがタイル裏面に配置される構造を有するため、タイルと構造壁面との距離が増える。このため、接着剤は点付けまたはビード状に塗付され、タイルと構造壁面との間の空隙が増える。それ故、接着層の厚みが薄いことが好ましい薄物大型無機質板の施工に、これら文献に記載の取付部材を適用するには限度があると考えられる。
【０００５】
また、実用新案登録第３２０３７７１号公報（特許文献３）には、貫通孔を有し、かつ建物の内壁や外壁に面接するように形成された固定板部と、タイル裏面に形成したスリットに係止可能な係止部を有し、かつタイル裏面に面接するように形成された係止板部とを備え、固定板部の平面と係止板部の平面とが連結部を介して平行に配置されてなる固定具が提案されている。この固定具では、係止板部の平面と壁との間に空間（クリアランス）、好ましくは５〜８ｍｍのクリアランスが形成されるため、接着層の厚みが薄いことが好ましい薄物大型無機質板の施工に、この固定具を適用するには限度があると考えられる。また、この固定具を用いた施工方法では、予め決められたタイル裏面のスリット位置によって、壁面における固定具を固定する位置が制限される。この場合、タイルを壁面により強く固定するため、この固定具を、壁の内側に配置された軽量鉄骨スタッドなどの下地に適用しようとしても、固定具がスタッドの位置に適合しない可能性があり、タイル固定の強度や、タイル割付の自由度が得られない。
【０００６】
従って、無機質板、とりわけ薄物大型無機質板への適用度が高く、あるいはこのような無機質板を高い自由度で割付可能であるとともに、このような無機質板の剥落および剥落に伴う被害を抑止可能な施工方法並びにそのための固定具が依然として求められている。
【先行技術文献】
【特許文献】
【０００７】
【特許文献１】実用新案登録第３１８９６８２号公報
【特許文献２】実用新案登録第３１８９６８３号公報
【特許文献３】実用新案登録第３２０３７７１号公報
【発明の概要】
【発明が解決しようとする課題】
【０００８】
本発明は、無機質板、とりわけ薄物大型無機質板への適用度が高く、あるいはこのような無機質板を、下地の構造に影響されることなく、高い自由度で割付可能であり、特に、下地への固定位置および無機質板への係止位置の相対的な位置関係を自由に調整可能であり、安定して高い固定強度が得られる、無機質板の固定方法およびそのための固定具の提供を目的とする。また、本発明は、施工途中に無機質板の係止状態を容易に確認可能な固定方法およびそのための固定具の提供を目的とする。
【課題を解決するための手段】
【０００９】
そして、本発明による固定方法は、固定具を用いた、無機質板の被施工面への固定方法であって、
前記固定具が、
前記無機質板の裏面に形成されたスリットに係止可能な係止部をその一端側に有し、かつ、当該無機質板の裏面に面で接することが可能な係止板部と、
前記被施工面に固定され、当該被施工面に接することが可能な固定部と
を備えてなり、
前記固定部が、前記係止板部の、前記係止部がある一端側とは反対側の他端側に、当該係止板部と交差して接続されてなり、
前記固定方法が、
その裏面にスリットが形成された前記無機質板を用意する工程（ｉ）と、
前記スリットに前記固定具の前記係止部を挿入して、前記係止板部で前記無機質板を係止する工程（ｉｉ）と、
前記係止板部で係止した前記無機質板を前記被施工面に接着する工程（ｉｉｉ）と、
前記固定具の前記固定部を前記被施工面に固定する工程（ｉｖ）とを含んでなり、
前記固定方法が、前記固定具の前記係止部によって無機質板が係止されていることを確認する工程（ｖ）をさらに含んでなる、方法。
【００１０】
また、本発明による固定具は、無機質板を被施工面に固定するための固定具であって、
前記無機質板の裏面に形成されたスリットに係止可能な係止部をその一端側に有し、かつ、当該無機質板の裏面に面で接することが可能な係止板部と、
前記被施工面に固定され、当該被施工面に接することが可能な固定部と
を備えてなり、
前記固定部が、前記係止板部の、前記係止部がある一端側とは反対側の他端側に、当該係止板部と交差して接続されてなり、
前記係止板部は、前記無機質板の裏面に面で接してなる面とは反対側の面が、前記被施工面に接するように構成されてなることを特徴とする。
【００１１】
また、本発明による構造物は、被施工面と、当該被施工面に固定された無機質板とを備えてなる構造物であって、
前記無機質板が、固定具および接着層を介して前記被施工面に固定されてなり、
前記無機質板の裏面に形成されたスリットに、前記固定具の係止板部がその一端側に有する係止部が係止され、かつ、前記無機質板の裏面に前記固定具の係止板部が面で接してなり、
前記固定具の固定部が、前記被施工面に固定され、かつ当該被施工面に接してなり、
前記固定部が、前記係止板部の、前記係止部がある一端側とは反対側の他端側に、当該係止板部と交差して接続されてなり、
前記係止板部は、前記無機質板の裏面に面で接してなる面とは反対側の面が、前記被施工面に接するように構成されてなることを特徴とする。
【図面の簡単な説明】
【００１２】
【図１】固定部１２として固定板部を備えた固定具１により無機質板２が被施工面３に固定された状態を示す本発明の概要図である。
【図２】固定部１２として固定線部を備えた固定具１により無機質板２が被施工面３に固定された状態を示す本発明の概要図である。
【図３】無機質板の裏面に形成されたスリットを示す模式図である。
【図４】図１または図２に示す状態の側面拡大図である。
【図５】係止板部の斜視図である。
【図６】固定板部の斜視図である。
【図７】係止板部と固定板部とが接続した状態の例を示す模式図である。
【図８】固定部がつまみ部を有する図１に示す状態の図である。
【図９】固定部がつまみ部を有する図２に示す状態の図である。
【図１０】図８に示す状態の拡大図である。
【図１１】つまみ部を有する係止板部の一つの態様を示す図である。
【発明を実施するための形態】
【００１３】
発明の概要
図１または図２は、本発明全体の概要図である。本発明は、無機質板２を被施工面３に固定する方法である。また本発明は、無機質板２を被施工面３に固定するために用いられる固定具１である。さらに本発明は、被施工面３と被施工面３に固定された無機質板２とを備えてなる構造物である。以下、定義を述べた後、本発明による固定方法、固定具、および構造物について詳細に説明する。
【００１４】
定義
無機質板
本発明による固定方法またはそのための固定具によって、後記する被施工面に固定される無機質板は、例えば陶磁器、石、またはガラスからなるものである。本発明の一つの態様によれば、無機質板は、平板として、外装または内装の壁、床、天井の仕上げ材や、キャビネット面材やカウンターの仕上げ材に好ましく用いられる。従って、無機質板は、好ましくは意匠が施された化粧面と、被施工面に張り付けられる裏面とを備える。また、その大きさは限定されないが、本発明による固定方法は、後記するとおり、無機質板の被施工面への二重化された固定方法とすることができることから、比較的大型の無機質板、とりわけ薄型で大型の無機質板に対して好ましく適用される。本発明の一つの態様によれば、無機質板は短辺３００ｍｍを超えるものであり、９００ｃｍ２を超える面積を有するものである。無機質板の短辺の長さは、好ましくは６００ｍｍ以上、より好ましくは９００ｍｍ以上である。
【００１５】
さらに本発明による固定方法またはそのための固定具は、比較的薄い無機質板に好ましく適用できる。薄い無機質板に適用されるに際し、後記する無機質板の被施工面への二重化された固定方法の一つである接着に用いられる接着剤により、無機質板と被施工面との間に形成される接着層の厚みが薄い方が好ましい。大型の陶磁器板では軽量化のため、例えば厚みは３ｍｍ以上１５ｍｍ程度まで、好ましくは１０ｍｍ程度まで、より好ましくは８ｍｍ程度までとされる。
【００１６】
本発明において無機質板は、その表面に釉薬層を有していてもよい。釉薬の成分は特に限定されない。釉薬層の形成は、成形後に施釉し、成形体と一体的に焼成するか、または、焼成体（仮焼体）に施釉した後に焼成するか、いずれかの方法を用いてもよい。さらに、施釉の前後に乾燥工程を設けてもよい。
【００１７】
スリット
本発明による固定方法またはそのための固定具が適用される無機質板は、スリットを裏面に有する。スリットとは、裏面から深さ方向に向かって斜めに、切削、掘削、あるいは成形によって溝が形成されるが、化粧面にまで至らない状態を意味する。
【００１８】
本発明において、無機質板が有するスリットとは、溝、典型的には深さ方向に所定の長さを有する凹条を意味するが、裏面を正面視したときのスリットの形状は、矩形、楕円、三角形、または多角形様の非貫通孔が深さ方向に形成されてスリットと解されるような形状であってもよい。後記する固定具の係止部が挿入かつ係止可能である限りにおいて、任意の穴がスリットに含まれる。例えば、図２に示す態様によれば、スリット２２の穴形状は矩形であり、スリット２２は無機質板２の裏面２１から深さ方向に所定の傾斜角αをつけて形成されている。図２（ａ）は無機質板２の側面からスリット２２の断面を見た模式図であり、図２（ｂ）は無機質板２の裏面２１から見たスリット２２の斜視図である。
【００１９】
無機質板の強度等への影響からすると、スリットの深さは、無機質板の深さ方向、すなわち裏面から化粧面へ向かう方向の距離換算で無機質板の厚みのほぼ半分乃至それ以下とされることが望ましい。本発明による固定方法またはそのための固定具は、とりわけこのような薄い無機質板における比較的浅いスリットに対して有利に用いられる。具体的には、例えば、スリットの深さが１ｍｍ以上５ｍｍ以下であるような無機質板に対して有利に用いられる。また、スリットの幅（つまり、条に沿った方向を垂直断面視したときの幅）は固定具１の係止部が挿入かつ係止可能である限りにおいて特に制限されないが、無機質板の裏面とスリットとのなす角αが鋭角であることが好ましい。これにより、裏面とスリットのなす角が鋭角になる側を上方に向けて施工することで、係止部の係止力が高まる。また、スリットの長さ（つまり、条に沿った方向の長さ）は無機質板の強度が確保できる限りにおいて、特に限定されない。また、スリットはその端が無機質板の端部に達していないことが好ましい。殊に薄型で大型の無機質板は、スリットを起点として割れが生じやすくなるため、例えば図２（ｂ）に示すように、スリット端が無機質板の端部から離れていることが好ましい。
【００２０】
被施工面
本発明において、外装もしくは内装の壁、または建築物の垂直面または傾斜面であって、本発明による固定方法またはそのための固定具によって無機質板が固定される表面を「被施工面」という。また、被施工面の内側に配置される、柱などの躯体や、間柱、ライトゲージスチール（ＬＧＳ）等のスタッド、またはパネルフレームなどを「下地」という。
【００２１】
本発明による固定方法
本発明による固定方法は、固定具を用いた、無機質板の被施工面への固定方法であって
前記固定具が、
前記無機質板の裏面に形成されたスリットに係止可能な係止部をその一端側に有し、かつ、当該無機質板の裏面に面で接することが可能な係止板部と、
前記被施工面に固定され、当該被施工面に接することが可能な固定部と
を備えてなり、
前記固定部が、前記係止板部の、前記係止部がある一端側とは反対側の他端側に、当該係止板部と交差して接続されてなり、
前記固定方法が、
その裏面にスリットが形成された前記無機質板を用意する工程（ｉ）と、
前記スリットに前記固定具の前記係止部を挿入して、前記係止板部で前記無機質板を係止する工程（ｉｉ）と、
前記係止板部で係止した前記無機質板を前記被施工面に接着する工程（ｉｉｉ）と、
前記固定具の前記固定部を前記被施工面に固定する工程（ｉｖ）とを含んでなり、
前記固定方法が、前記固定具の前記係止部によって無機質板が係止されていることを確認する工程（ｖ）をさらに含んでなることを特徴とする。
【００２２】
本発明による固定方法に用いられる固定具について以下に説明する。
【００２３】
固定具
本発明による固定具は、無機質板、好ましくは大型無機質板、より好ましくは薄物大型無機質板を被施工面に固定するために用いられるものであり、係止板部と固定部とを備える。図１、２は、固定具により無機質板が被施工面に固定された状態を示す概要図である。図４は、図１または２に示す状態の側面拡大図である。図１、２、４に示す態様によれば、固定具１は、係止板部１１と固定部１２とを備え、この固定具１により無機質板２は被施工面３に固定されている。本発明の好ましい態様によれば、固定具１は金属を加工してなる金具である。金具は良好な強度を有し、施工性を向上させる。また、固定具１が金具であることにより、無機質板２との良好な係止力、被施工面３との良好な固定力が確保される。
【００２４】
係止板部
係止板部は、その一端側に、無機質板の裏面に形成されたスリットに係止可能な係止部を有する。スリットに係止部が係止されることにより、無機質板は固定具によって仮止めされた状態となる。また、係止板部は板状物であり、好ましくは金属板を加工してなる板である。これにより、係止板部は無機質板の裏面に面で接することが可能となり、固定具と無機質板との良好な係止力を確保することができる。また、板状物であることにより、係止板部は、変形しにくく、良好な強度を有する。さらに、施工時の作業が容易となる。さらに係止板部は、無機質板の裏面に面で接してなる面とは反対側の面が、被施工面に接するように構成されてなる。「接する」とは、係止板部が直接被施工面に接する態様のほか、実際には係止板部と被施工面は隔離しているが接近しており、固定部のみを介して接する態様、接着層のみを介して接する態様、または、固定部と接着層とを介して（他の介在要素がなく）接する態様も含む意味である。係止板部が被施工面に接することにより、無機質板と被施工面との間に固定具が収まることが可能となる。本発明の一つの態様によれば、例えば図１、２、４を参照しつつ説明すると、係止板部１１はその一端側ａに係止部１３を有しており、この係止部１３が無機質板２の裏面２１に形成されたスリット２２に係止している。また、図５に係止板部１１の斜視図を示す。図５に示す態様によれば、係止板部１１は、無機質板２の裏面２１に形成されたスリット２２に係止可能な係止部１３をその一端側ａに有する。また、係止板部１１は、係止部１３がある一端側ａと、これとは反対側の他端側ｂとの間の領域で、無機質板２の裏面２１に面で接する。さらに係止板部１１の、無機質板２の裏面２１に面で接してなる面とは反対側の面が、直接または接着層４を介して被施工面３に接する。
【００２５】
固定部
固定部は、被施工面に固定され、被施工面に接することが可能な部材であればよい。固定部は、係止板部の、係止部がある一端側とは反対側の他端側に、係止板部と交差して接続して固定具を形成する。固定部は、例えば板状物であってもよく、線状物であってもよい。その他の形状であってもよい。以下、板状物である固定部を固定板部といい、線状物である固定部を固定線部という。本発明の一つの態様としてこれらを例に挙げて説明する。
【００２６】
固定板部
固定板部は、係止板部の、係止部がある一端側とは反対側の他端側に、係止板部と交差して接続されてなる。固定板部が無機質板を係止する係止板部と接続しているため、固定板部を被施工面に固定することにより、固定具によって無機質板が被施工面に固定される。ここで、「他端側」とは、一端から反対側の端に向けて離れた位置に、という意味である。このような位置に固定板部を交差して接続することで、下地の構造に影響されること無く高い自由度で無機質板を配置することができる。また、固定板部は板状物であり、好ましくは金属板を加工してなる板である。これにより、固定板部は被施工面に面で接することが可能となり、固定具と被施工面との良好な固定力を確保することができる。また、板状物であることにより、固定板部は、変形しにくく、良好な強度を有する。さらに、施工時の作業が容易となる。本発明の一つの態様によれば、例えば図１および図４を参照しつつ説明すると、固定板部１２は、係止板部１１の、係止部１３がある一端側ａとは反対側の他端側ｂにおいて、係止板部１１と交差して接続されてなる。
【００２７】
本発明の好ましい態様によれば、例えば図１、７に示すように、固定板部１２は、係止板部１１の、係止部１３がある一端側ａとは反対側の他端側ｂに、係止板部１１と略直交して接続されている。「略直交」とは、固定板部１２が、係止板部１１の一端側ａから他端側ｂへの方向に対して、係止板部１１と略直角に交差している状態を意味する。この態様において、固定板部１２を水平方向に配置した場合、無機質板２と係止板部１１が重力方向と略同じ方向に配置されることとなるため、固定具１による無機質板２の係止力を高めることができる。
【００２８】
固定線部
固定線部は、係止板部の、係止部がある一端側とは反対側の他端側に、係止板部と交差して接続されてなる。固定線部が無機質板を係止する係止板部と接続しているため、固定線部を被施工面に固定することにより、固定具によって無機質板が被施工面に固定される。ここで、「他端側」とは、一端から反対側の端に向けて離れた位置に、という意味である。このような位置に固定板部を交差して接続することで、下地の構造に影響されること無く高い自由度で無機質板を配置することができる。また、固定線部は、壁などの内側に配置されてなるスタッドなどの下地に固定され、固定線部は下地への固定を介して被施工面に固定される。これにより、固定線部は被施工面に接することが可能となり、固定具と被施工面との良好な固定力を確保することができる。固定線部は線状物である。本発明の好ましい態様によれば、固定線部は線材である。線材であることにより、固定部は、良好な強度を有する。さらに、施工時の作業が容易となる。本発明の一つの態様によれば、例えば図２および図４を参照しつつ説明すると、固定線部１２は、係止板部１１の、係止部１３がある一端側ａとは反対側の他端側ｂにおいて、係止板部１１と交差して接続している。また、固定線部１２は、被施工面３の内側にある下地５に、固定線部１２と係止板部１１との接続部分から見て左右両方向かつ斜め上方向にある下地５上の所定の点で固定され、もって被施工面３に固定されている。
【００２９】
本発明において、係止板部と固定部（例えば、固定板部または固定線部）は一体的に固定具を構成してもよい（以下、一体型固定具ということもある）。固定部が固定板部である場合、係止板部および固定板部双方が板状物、好ましくは金属板であることで、例えば固定具の一体形成が可能となる。また、後述するように、係止板部と固定部は別体とされ、両者が接続された状態で固定具を構成してもよい（以下、別体型固定具ということもある）。
【００３０】
本発明による固定具１について、さらに詳しく説明する。
【００３１】
本発明による固定具にあっては、固定部が固定板部である場合、図１、４〜７に示す態様では、係止板部１１の、無機質板２の裏面２１に面で接することが可能な面Ｓ１とは反対側の面Ｓ２、すなわち係止板部１１の被施工面３側の面と、固定板部１２、具体的には固定板部１２の裏面Ｓ３、すなわち固定板部１２の被施工面３側の面とが、略同一の面に在る。これにより、固定具１の係止板部１１および固定板部１２双方が被施工面３に面で接することが可能となる。「略同一の面に在る」とは、係止板部１１と固定板部１２が同一の面に在る、すなわち面一の状態であること、または、係止板部１１と固定板部１２が面一の状態ではないが、固定具１が変形しない程度に係止板部１１および／または固定板部１２を（例えば、施工者の人力程度の力で）歪ませることにより、両者が同一の面（つまり、被施工面３）に接することができる状態であることを意味する。係止板部１１（または固定板部１２）が被施工面３に面で接するとは、係止板部１１（または固定板部１２）が直接被施工面３に面で接する態様のほか、実際には係止板部１１（または固定板部１２）と被施工面３は隔離しているが接近しており、固定板部１２（または係止板部１１）のみを介して接する態様、接着層４のみを介して接する態様、または、固定板部１２（または係止板部１１）と接着層４とを介して（他の介在要素がなく）接する態様も含む。係止板部１１と固定板部１２とが略同一の面に在ることにより、無機質板２と被施工面３との間に固定具１が収まることが可能となる。
【００３２】
本発明による固定具にあっては、固定部が固定線部である場合、図２、４に示す態様では、係止板部１１の、無機質板２の裏面２１に面で接することが可能な面Ｓ１とは反対側の面Ｓ２、すなわち係止板部１１の被施工面３側の面と、固定線部１２とが、被施工面に接する。係止板部１１（または固定線部１２）が被施工面３に面で接するとは、係止板部１１（または固定線部１２）が直接被施工面３に面で接する態様のほか、実際には係止板部１１（または固定線部１２）と被施工面３は隔離しているが接近しており、固定線部１２（または係止板部１１）のみを介して接する態様、接着層４のみを介して接する態様、または、固定線部１２（または係止板部１１）と接着層４とを介して（他の介在要素がなく）接する態様も含む。係止板部と固定線部とが被施工面に接することにより、無機質板と被施工面との間に固定具が収まることが可能となる。
【００３３】
接着剤を用いた接着による固定と、固定具による固定との２つの手段を用いて無機質板を被施工面に固定する施工システムにおいては、無機質板と被施工面との間に適用される接着剤および固定具は互いの効果を阻害しないことが望ましく、とりわけ薄物大型無機質板の固定にあっては、接着剤の使用量を少なくして、薄い接着層を形成することが好ましい。固定具において、係止板部と固定板部とが略同一の面に在り、あるいは係止板部と固定線部とが被施工面に接し、無機質板と被施工面との間に収まるような、とりわけ薄物大型無機質板への適用度が高い、厚みの薄い固定具とすることで、接着層の接着力を阻害することなく、自身の固定力を発揮しながら、無機質板と被施工面との間に安定して高い固定強度を確保することができる。
【００３４】
本発明の好ましい態様によれば、本発明による固定具にあっては、固定部（例えば、固定板部または固定線部）の長さは係止板部の長さよりも大きい。これにより、無機質板を被施工面に確実に固定することが可能となる。また、無機質板の割付、すなわち被施工面への無機質板のレイアウトの自由度を高めることが可能となる。さらに、固定具１による固定位置の可変性を持たせることが可能となる。固定部の長さは、固定部が固定板部である場合、固定板部の長尺方向の長さをいい、より好適には、例えば図１においては固定板部１２を施工面３に固定したときの水平方向の長さＬ１をいい、係止板部１１の同じ方向の長さＬ２よりも大である。あるいは、固定部の長さは、固定部が固定線部である場合、固定線部１２を被施工面３に固定したときの実際の長さをいい、例えば図２においては、３本のスタッド上の３つの固定点に固定して配置されたＷ字状の総長をいう。係止板部の長さは、Ｌ２で示される長さをいう。
【００３５】
本発明によれば、本発明による固定具は、無機質板を被施工面に固定するために、接着剤とともに用いられる。後述するように、無機質板は、この接着剤を被施工面または無機質板の裏面に、好ましくは全面塗布して、被施工面に張り付けられる。この接着剤からなる接着層により、無機質板は接着という手段によって被施工面に固定される。このとき、固定具の係止部を除いた部分、すなわち固定具の、係止部を除いた係止板部と固定部（例えば、固定板部または固定線部）とからなる部分の厚みが、接着層の厚みよりも小さいことが好ましい。張り付け後の接着層の厚みよりも、固定具の係止部を除いた部分の厚みを小さくすることにより、無機質板２と被施工面３との間に固定具１を収めることが可能となる。また、固定具の係止部を除いた部分の厚みを接着層の厚みより小さくすることにより、被施工面に固定された無機質板の上側にある固定具を覆うように、他の無機質板を張り付けることが可能となる。これを実現するため、上述したように、固定具の係止板部は金属板を加工してなる板状物とされ、係止板部が無機質板の裏面に面で接することが可能となり、無機質板と固定具との係止力が確保されている。固定具の固定部が固定板部、例えば金属板を加工してなる板状物とされる場合、固定板部が被施工面に面で接することが可能となり、被施工面と固定具との固定力が確保されている。あるいは、固定具の固定部が固定線部、例えば線材とされる場合、その厚み（断面の直径または短径）は小さく、固定線部が被施工面に線で接することが可能となり、被施工面と固定具との固定力が確保されている。さらに、固定具の係止部を除いた部分の厚みを接着層の厚みより小さくすることにより、接着層の接着力が良好に維持される。つまり、薄型の固定具とすることにより、接着剤による接着が阻害されることがない。本発明の一つの態様によれば、例えば図４を参照しつつ説明すると、無機質板２は接着層４により被施工面３に張り付けられており、固定具１の、係止部１２を除いた係止板部１１および固定板部１２からなる部分の厚みＴが、接着層４の厚みよりも小である。
【００３６】
接着層４の厚みは、本発明による固定具１または固定方法がとりわけ薄型の大型無機質板に好ましく適用されることから、薄いことが好ましい。接着層４の厚みは、例えば０．５ｍｍ以上５ｍｍ以下、好ましくは１．３〜１．７ｍｍとされる。
【００３７】
本発明において、固定具１の係止板部１１の厚みは、例えば０．１〜１．５ｍｍとされる。固定具１の固定部１２（例えば、固定板部または固定線部）の厚みは、例えば０．２〜１．５ｍｍとされる。固定具１全体の厚みＴは、例えば０．４〜４．５ｍｍとされる。
【００３８】
接着剤としては、無機質板２を被施工面３に接着可能なものであれば限定されないが、合成高分子系の接着剤が好ましい。合成高分子系の接着剤としては、エポキシ系、シリコン系、ウレタン系、アクリル系などが好適に用いられる。これらの接着剤は、常温で液状またはペースト状の接着剤、ホットメルト接着剤、テープ状に成形されたもの、のいずれも好適に使用可能である。
【００３９】
本発明の好ましい態様によれば、固定部１２（例えば、固定板部または固定線部）の長さは、被施工面３の内側に存在するスタッドなどの下地５のピッチよりも大きい。これにより、固定部１２を下地５に確実に固定することができる。固定部１２の長さは、下地５のピッチの整数倍以上であることがより好ましい。これにより、無機質板２の割付の自由度も高められ、施工性が向上する。
【００４０】
このように、固定部１２（例えば、固定板部または固定線部）は長尺であることが好ましい。これにより、良好な強度を有する固定部１２を下地５へ確実に固定させることができ、固定部１２を被施工面３に確実に面または線で接させながら強く固定することができる。その結果、固定具１を介して無機質板２を被施工面３に確実に固定することが可能となる。また、無機質板２の割付の自由度が高められ、施工性が向上する。
【００４１】
本発明の好ましい態様によれば、係止板部１１と固定部１２（例えば、固定板部または固定線部）とは別体である。これにより、被施工面３に対して係止板部１１と固定部１２とを互いに独立して自由に設置することができ、さらには係止板部１１と固定部１２の相対的な位置関係を自由に調整することができる。例えば、固定部１２を、被施工面３の内側に在るスタッドなどの下地５の位置に相当する位置に配置し、後に固定部１２をビスなどで固定し、これにより無機質板２の固定強度を確保することができる。これと同時に、係止板部１１を、下地５の位置に制限されることなく（合わせる必要なく）、たとえば固定部１２の長さ方向に自由に移動させて、固定部１２の任意の所望の位置に接続することができる。係止板部１１の位置を自由に調整することが可能であるため、無機質板２の裏面２１の所望な位置にスリット２２を形成することができる。例えば、スリット２２を無機質板２の強度が安定した位置、例えば無機質板２が割れ難い位置に自由に設けることが可能となる。これにより、工場でのプレ加工が可能になり、無機質板２の品質が安定する。以上より、固定部１２の下地５への固定を介した被施工面３への固定により、十分な強度を確保しながら無機質板２を固定できるとともに、係止板部１１により十分な強度を確保しながら、高品質な無機質板２を係止できる。その結果、係止板部１１と固定部１２とが別体である固定具により、無機質板２と被施工面３の確実な固定が、高い自由度で実現される。無機質板２を係止している係止板部１１を下地５に固定する必要がないため、例えば、図１、２に示される態様によれば、係止板部１１は、下地５の位置に制限されることなく、無機質板２の裏面２１に形成されたスリット２２に係止され、固定部１２は、例えば固定部品１４を下地５に打ち付けることにより、被施工面３に固定されている。なお、「接続」とは、係止板部と固定部とが、上記の効果を奏する範囲内で、係合または接合している状態を意味する。
【００４２】
本発明の好ましい態様によれば、固定部が固定板部である場合、この固定板部は水平方向に設置されてなり、この固定板部とは別体の係止板部が、この固定板部に交差して、好ましくは略直角に交差して接続されている。例えば、図１に示す態様によれば、係止板部１１は、係止部１３がある一端側ａとは反対側の他端側ｂで折り返され、この折り返し部Ｕに固定板部１２が水平方向に挿入され、両者は接続されている。あるいは、水平方向に設置された固定板部１２に、係止板部１１の折り返し部Ｕが掛けられ、両者が接続されている。
【００４３】
本発明の好ましい態様によれば、固定部が固定線部である場合、この固定線部は、下地５への固定を介して被施工面３に固定されてなる。固定線部１２は、少なくとも２つの下地５、好ましくは隣接する２つの下地５へ固定される。少なくとも２つの下地５へ固定された固定線部１２に、係止板部１１が接続される。例えば、図２に示す態様によれば、係止板部１１は、係止部１３がある一端側ａとは反対側の他端側ｂで折り返され、この折り返し部Ｕに固定線部１２が挿入され、両者は接続されている。あるいは、隣接する２つの下地５に固定された固定線部１２に、係止板部１１の折り返し部Ｕが掛けられ、両者が接続されている。
【００４４】
本発明おいて、係止板部１１と固定部１２（例えば、固定板部または固定線部）とを接続する例として、係止板部１１が、係止部１３がある一端とは反対側の他端に、固定部１２に当該係止板部１１を接続可能な接続部をさらに有してなる態様が挙げられる。接続部は、係止板部１１と固定部を接続可能な部材であればよく、この限りにおいて材質、形状は特に制限されない。
【００４５】
本発明の好ましい態様によれば、固定具１は、一体型固定具および別体型固定具のいずれにおいても、係止板部１１が、複数の固定点、つまり、後述する固定部品１４を打ち込む位置で固定される。固定部１２（固定板部または固定線部）が長尺であるため、固定部１２と係止板部１１とが接続される部位を挟むように、換言すれば、両者が接続される部位の両側に、固定部品１４を打ち込む位置を配置できる。これにより、無機質板２を複数個所で係止することができ、その結果、固定具１による無機質板２の係止力をさらに高めることができる。このような態様にあっては、固定具１は、一つの固定部１２と複数の係止板部１１とを備えてよい。例えば、図１、２に示す態様によれば、一つの固定部１２に二つまたは三つの係止板部１１が接続され、各係止板部１１が無機質板２の裏面２１に形成されたスリット２２に係止され、固定具１により無機質板２の上端部が強く係止されている。
【００４６】
本発明の好ましい態様によれば、固定具１が一体型固定具および別体型固定具のいずれであっても、係止板部１１は、長尺の固定部１２（例えば、水平方向に配置された固定板部１２または固定線部）の下側に、同一方向（例えば、水平方向）に並んで配置されてなる。同一方向に並んで配置された複数の係止板部１１により、無機質板２を水平に安定して係止することが可能となる。また、係止板部１１を固定部１２の下側に配置することにより、無機質板２は固定部１２の下側に鉛直方向にぶら下がるように係止される。さらに、この態様にあっては、固定部が無機質板の上側に固定されているので、他の固定具を用いて、他の無機質板を当該固定部の上に重ねて、当該無機質板の上側に他の無機質板を固定することができる。つまり、固定具は上下二枚の無機質板により隠され、外から視認されることがないため、美しいレイアウトが得られる。例えば、図１、２に示す態様によれば、二つまたは三つの係止板部１１が、固定部（固定板部または固定線部）１２の下側に、同一方向（水平方向）に並んで配置されており、これら係止板部１１により一枚の無機質板２が固定板部１２の下側に鉛直方向にぶら下がるように係止されている。また、下側の固定具１の固定部（固定板部または固定線部）１２の上に、上側の無機質板２が重なり合うように固定されている。
【００４７】
本発明の一つの態様によれば、無機質板２は大型で重いため、例えば、無機質板２の所望な部分、好ましくは下端部と被施工面３との間に、無機質板２の荷重を受けるための部品６（例えば、金具）を配置してもよい。これにより、固定具１の係止部１３に掛かる荷重が荷重受け部品６に分散され、無機質板２をより確実または安定に係止することが可能となる。荷重受け部品６の厚みは、例えば０．８〜１．２ｍｍとされる。
【００４８】
本発明による固定方法を、工程ごとに以下説明する。
無機質板を用意する工程（ｉ）
本発明による固定方法は、その裏面にスリットが形成された無機質板を用意する工程（ｉ）を含む。スリットの形成は、固定具の係止部と当該スリットとの良好な係止が実現可能となるように行われる。その方法は特に制限されず、公知の方法が用いられる。スリットの形成は施工現場にて行なってもよいが、工場で予め形成しておくことが望ましい。これにより、精度が担保される。本発明の一つの態様によれば、例えば図３を参照しつつ説明すると、裏面２１に予めスリット２２を形成した無機質板２を用意する。
【００４９】
固定具の係止板部を無機質板に係止する工程（ｉｉ）
本発明による固定方法は、スリットに固定具の係止部を挿入して、係止板部を無機質板に係止する工程（ｉｉ）を含む。これにより、係止板部は無機質板の裏面に面で接し、無機質板が固定具によって仮止めされた状態となる。仮止めは、スリット幅を係止部の厚みに近づけるなどして、係止部の表裏両面をスリット内部の上下両面に接して、固定具と無機質板との間の係止力を高める手段による他、テープや接着剤で行なうこともできる。この工程により十分に仮止めされているときは、次の工程に移ってよい。本発明の一つの態様によれば、例えば図１〜５を参照しつつ説明すると、スリット２２に固定具１の係止部１３を係止する。これにより、無機質板２は固定具１によって仮止めされた状態となる。なお、本明細書において「仮止め」との言葉は、後記する固定具１による無機質板の固定を「本止め」と称する場合において、これと対をなす言葉として用いられており、無機質板２が固定具１により係止されている限りにおいて、係止力の強弱を意味するものではない。換言すると、工程（ｉｉ）を実施した後、何らかの要因で係止力が弱まった場合において、その後その係止力が回復されたときであっても、その時点で工程（ｉｉ）が実施されたと理解されるものではない。
【００５０】
無機質板を被施工面に接着する工程（ｉｉｉ）
本発明による固定方法は、係止板部に係止された無機質板を被施工面に接着する工程（ｉｉｉ）を含む。接着は、例えば接着剤を用いて行われる。接着剤は無機質板の裏面あるいは被施工面に適用され、好ましくは全面に適用される。また、接着剤の使用量が多くならないように適用して、厚みの薄い接着層を形成することが好ましい。これにより、強い接着力を得ることが可能となる。工程（ｉｉｉ）により、無機質板は接着という手段により被施工面に固定される。本発明の一つの態様によれば、例えば図１、２、４を参照しつつ説明すると、無機質板２を、予め接着剤を全面塗付した被施工面３に張り付ける。なお、接着剤は、被施工面の全面に塗布することが好ましい。例えば、現場施工においては、ペースト状の接着剤を櫛目鏝を用いて、無機質板の裏面か、または被施工面に塗付する。
【００５１】
固定具の固定部を前記被施工面に固定する工程（ｉｖ）
本発明による固定方法は、固定具、詳細には固定具の固定部（例えば、固定板部または固定線部）を被施工面に固定する工程（ｉｖ）を含む。固定部が固定板部である場合、例えば図１に示すように、無機質板２の上端から出ている固定具１の固定板部１２を、被施工面３の内側に配置されているＬＧＳなどの下地５へ固定する。固定部が固定線部である場合、例えば図２に示すように、無機質板２の上端から出ている固定具１の固定線部１２を、被施工面３の内側に配置されているＬＧＳなどの下地５に固定する。固定線部１２は例えば線材であるため、強度を保ったまま変形可能である。固定線部１２を、固定板部１１と固定線部との接続位置から見て左右両方向に配置されている２つの下地５の適切な位置に固定する。固定線部１２の下地への固定位置（以下、固定点ということもある）は適宜決定されてよい。例えば、固定板部１１と固定線部１２との接続位置と固定点とを結ぶ直線が水平方向に対して、所定の角度、好ましくは係止板部または係止板部で係止された無機質板を安定に保持することが可能な角度を有するように、当該直線上に固定線部１２を配置して、固定点にて固定線部１２を下地５に固定する。固定部１２の下地５への固定は、公知の手段や方法を用いることができ、例えば固定部１２に固定部品１４を打ち込んで行われる。これにより、固定部１２は下地５への固定を介して被施工面３に面または線で接することが可能となり、固定部１２と被施工面３は強固に固定される。工程（ｉｖ）により、無機質板２は固定具１による固定手段で被施工面３に固定される。本発明による固定方法によれば、工程（ｉｉｉ）における接着による固定と、工程（ｉｖ）による固定との二つの手段により、無機質板２と被施工面３とが固定される。経時的な劣化などで接着力が十分でなくなった場合でも、固定具を用いた固定手段が存在するため、剥落や、剥落に伴う被害を防ぐことができる。すなわち、本発明によれば、無機質板の被施工面への二重化された固定方法が提供される。固定部品１４は、結果として二重化された固定手段として、接着である第一の固定手段が失われたときにも無機質板を固定することができる強度を有するものであれば特に限定されず、例えば、タッピンねじ、ドリリングねじ、釘、リベットなどが挙げられる。固定部品１４の頭部の形状は、固定具１全体の厚みＴを考慮して適宜決定すればよく、特に限定されないが、低頭形状などで不陸とならない形状が好ましい。
【００５２】
本発明による固定方法は、上記工程（ｉ）〜（ｉｖ）を含む。無機質板を用意する工程（ｉ）と、無機質板を固定具に係止する工程（ｉｉ）はこの順に実施される。本発明による固定方法にあっては、無機質板の接着工程（ｉｉｉ）と無機質板の固定工程（ｉｖ）をこの順に実施してもよく（以下、実施形態１という）、また固定工程（ｉｖ）と接着工程（ｉｉｉ）をこの順に実施してもよい（以下、実施形態２という）。なお、上記工程（ｉ）および（ｉｉ）が予め実施された状態で向上から出荷され、現場で工程（ｉｉｉ）および（ｉｖ）を実施する態様も、本発明に含まれる。
【００５３】
実施形態１
実施形態１の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
係止板部１１で係止した無機質板２を被施工面３に接着する工程（ｉｉｉ）と、
固定具１の固定板部１２を被施工面３に固定する工程（ｉｖ）とをこの順に含む。
【００５４】
実施形態１では、無機質板を被施工面に接着する工程（ｉｉｉ）と、固定板部を被施工面に固定する工程（ｉｖ）とがこの順に実施されるため、殊に現場施工においては、目地通りを美しく仕上げることができる点で好ましい。
【００５５】
実施形態２
実施形態２の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
固定具１の固定板部１２を被施工面３に固定する工程（ｉｖ）と、
係止板部１１で係止した無機質板２を被施工面３に接着する工程（ｉｉｉ）とをこの順に含む。
【００５６】
実施形態２では、固定板部を被施工面に固定する工程（ｉｖ）と、無機質板を被施工面に接着する工程（ｉｉｉ）とがこの順に実施されるため、接着剤の塗付は工程（ｉｖ）の前に予め行っておくことが好ましい。下地の不陸調整やスリット位置の精度が高い施工においてはこの実施形態２を採用することが可能である。
【００５７】
再び、本発明による固定方法について説明する。なお、以下において実施形態１、２と明示して説明する場合以外は、固定方法はこれらの別を問わず、これら双方を包含するものとして説明される。
【００５８】
本発明の好ましい態様によれば、本発明による固定方法は、固定具１によって、具体的には係止板部１１の係止部１３によって無機質板２が係止されていることを確認する工程をさらに含む。固定具１による無機質板２の係止状態は、固定具１を相対的に無機質板よりも上方に動かすことで容易に確認することができる。例えば、無機質板２の上端から出ている固定具１の所定の部分を、例えば上方に引っ張りあげ、固定具１に遊びが無くなった、すなわちテンションがかかったことを確認することにより、固定具１が無機質板２に確実に係止していること、すなわち固定具１による無機質板２の仮止めが確実になされていることを容易に確認することができる。また、固定具１を動かして無機質板２の係止状態を確認する作業は、例えばこの確認作業より前の施工の段階で仮に係止力が緩んでいた場合であっても、この緩みを是正し、係止力を強化する（回復させる）という利点も有する。その結果、安全性の高い施工システムを提供することができる。固定具１を動かすための所定の部分は、固定具１のうち無機質板２の上端から出ており、施工者が把持可能な部分であれば特に制限されない。例えば、固定部（例えば、固定板部または固定線部）１２や、係止板部１１が突出している場合は、固定部１２や係止板部１１を動かせばよい。固定具１を動かして、固定具１に遊びが無くなった位置、すなわちテンションがかかった位置で、無機質板２は工程（ｉｉｉ）および／または工程（ｉｖ）に付される。
【００５９】
本発明の好ましい態様によれば、固定具１によって無機質板２が係止されていることを確認する工程は、スリット２２に固定具１の係止部１３を挿入して、係止板部１１で無機質板２を係止する工程（ｉｉ）の後工程で実施され、さらに好ましい態様によれば、無機質板２を被施工面３に固定する工程（ｉｖ）よりも先に実施される。これにより、無機質板２を被施工面３に固定または本止めする工程（ｉｖ）に先立って、工程（ｉｉ）によって無機質板２が問題なく固定具１により係止されていることが確認でき、その後の工程（ｉｉｉ）、（ｉｖ）を安全に実施することができる。また、固定具を動かす確認作業自体が係止力の強化を兼ねる結果となる。あるいは、確認作業により係止力を強化する必要があると判断される場合、これをきっかけに係止力を強化すればよい。無機質板２を被施工面３に固定する前に、無機質板２が固定具１により確実に係止されていることを確認する作業は、安全性の観点から非常に重要であり、それを容易に実施できる手段の実現は施工現場において強く要望されてきたことである。本発明によれば、確認作業のために特別な器具等を用いたり、特別な方法を実施するなどの工数を要することなく、固定具１を動かすことのみによって容易かつ確実に係止状態を確認することができる。
【００６０】
本発明による固定方法が無機質板の係止確認工程を含む場合、固定具が一体型固定具である場合も別体型固定具である場合も、実施形態１にあっては、確認工程は、係止工程（ｉｉ）と接着工程（ｉｉｉ）の間に実施されてよい（以下、実施形態１−１という）。すなわち、実施形態１−１の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
固定具１を動かして無機質板２が係止板部１１によって係止されていることを確認する工程と、
係止板部１１で係止した無機質板２を被施工面３に接着する工程（ｉｉｉ）と、
固定具１の固定部（例えば、固定板部または固定線部）１２を被施工面３に固定する工程（ｉｖ）とをこの順に含む。
【００６１】
また、実施形態１にあっては、確認工程は、接着工程（ｉｉｉ）と固定工程（ｉｖ）の間に実施されてよい（以下、実施形態１−２という）。すなわち、実施形態１−２の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
係止板部１１で係止した無機質板２を被施工面３に接着する工程（ｉｉｉ）と、
固定具１を動かして無機質板２が係止板部１１によって係止されていることを確認する工程と、
固定具１の固定部（例えば、固定板部または固定線部）１２を被施工面３に固定する工程（ｉｖ）とをこの順に含む。
【００６２】
本発明による固定方法が無機質板の係止確認工程を含む場合、実施形態２にあっては、確認工程は、係止工程（ｉｉ）と固定工程（ｉｖ）の間に実施されてよい（以下、実施形態２−１という）。すなわち、実施形態２−１の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
固定具１を動かして無機質板２が係止板部１１によって係止されていることを確認する工程と、
固定具１の固定部（例えば、固定板部または固定線部）１２を被施工面３に固定する工程（ｉｖ）と、
係止板部１１で係止した無機質板２を被施工面３に接着する工程（ｉｉｉ）とをこの順に含む。
【００６３】
本発明による固定方法が無機質板の係止確認工程を含む場合、実施形態２にあっては、確認工程は、固定工程（ｉｖ）と接着工程（ｉｉｉ）の間に実施されてよい（以下、実施形態２−２という）。すなわち、実施形態２−２の方法は、
その裏面２１にスリット２２が形成された無機質板２を用意する工程（ｉ）と、
スリット２２に固定具１の係止部１３を挿入して、係止板部１１で無機質板２を係止する工程（ｉｉ）と、
固定具１の固定板部１２を被施工面３に固定する工程（ｉｖ）と、
固定具１を動かして無機質板２が係止板部１１によって係止されていることを確認する工程と、
係止板部１１で係止した無機質板２を被施工面３に接着する工程（ｉｉｉ）とをこの順に含む。
【００６４】
現場でスリットを形成する場合は、係止状態が弱くなる可能性が高く、作業性も比較的優れる実施形態１−２が好ましい。特に、確認工程を固定する工程（ｉｖ）の直前に実施する態様は、固定具にテンションをかけながら固定を実施できる点で、実質的には一つの工程として作業することが可能となる点で、好ましい。
【００６５】
本発明において、固定具１は、例えば図８、９に示されるように、無機質板２の上端から出ている固定具１の所定の部分に、係止部１３による無機質板２の係止状態を確認可能とするつまみ部をさらに有していてもよい。つまみ部は、施工者が把持し易い部分に設けられていればよく、その配置は特に制限されない。例えば、固定部（例えば、固定板部または固定線部）１２または係止板部１１の所望の部分に設けられる。固定具１の構造や施工状態に起因して固定具１を把持することが困難な場合であっても、つまみ部を有することにより、容易に確認作業を実施することが可能となる。係止状態の確認は固定具１による場合と同様に行ってよい。つまみ部を動かして、つまみ部に遊びが無くなった、すなわちテンションがかかったことを確認することにより、無機質板２が係止板部１１の係止部１３に確実に係止されていることを容易に確認することができる。本発明の好ましい態様によれば、例えば図１０、１１に示されるように、つまみ部は係止板部１１に設けられる。無機質板２は係止板部１１に係止されているため、この係止板部１１につまみ部を設けることにより、係止状態をより直接的に確認することが可能となる。より好ましくは、つまみ部は、係止板部１１の、係止部１３がある一端側ａとは反対側の他端側ｂに設けられる。つまみ部の形状は固定具１を動かすことが可能である形状である限り特に制限されず、例えば環状、Ｔ字状、Ｓ字状など人の指が掛かる形状が挙げられる。つまみ部の材質は、つまみ部を動かして遊びが無くなったとき、無機質板の重量により切れてしまわない程度の強度を有するものであれば、特に制限されない。つまみ部により係止を確認する作業は、固定具により係止を確認する工程と同様のタイミングで実施すればよい。
【００６６】
本発明の好ましい態様によれば、固定具１の係止部１３を除いた部分、すなわち固定具１の、係止板部１１の係止部１３以外の部分と固定板部１２とからなる部分の厚みＴが、固定具１の固定板部１２を被施工面３に固定した後の接着層４の厚みよりも小さい。つまり、固定具１（係止部１３を除く）の厚みＴは接着層４の厚みより小である程度に薄いことが好ましい。無機質板２、とりわけ薄物大型無機質板を被施工面３に確実に固定するに際し、接着剤などを用いた接着においては、上述したように、厚みの小さい接着層４を形成することが好ましい。このような薄い接着層４に適合する薄い固定具１とすることにより、固定具１の存在によって接着剤による接着力が阻害されるおそれがない。
【００６７】
本発明の好ましい態様によれば、係止板部１１と固定部１２（例えば、固定板部または固定線部）とは別体である。これにより、例えば実施形態１では、係止板部１１で無機質板２を係止する作業と、固定板部１２を被施工面３に固定する作業とを、その間に無機質板２を被施工面３に接着する作業を含めて、独立に行うことができる。つまり、係止板部１１の無機質板２への係止位置、および固定部１２の下地５への固定位置を独立に調整することが可能となり、さらには当該固定位置と当該係止位置の相対的な位置関係を自由に調整することが可能となる。具体的には、無機質板２において強度が安定した所望の位置にスリット２２を形成することができるとともに、当該無機質板２を係止する係止板部１１とは独立に、換言すると、当該無機質板２または係止板部１１の位置に拘束されることなく、下地５への固定が可能な位置に固定部１２を自由に配置し固定することが可能となる。その結果、係止板部１１により十分な強度を確保しながら無機質板２を係止できるとともに、固定部１２の下地５への固定を介した被施工面３への固定により、十分な強度を確保しながら無機質板２を固定でき、もって、固定具１による無機質板２と被施工面３の確実な固定が実現される。
【００６８】
なお従来は、無機質板の固定強度を確保するために、例えば下地の位置に固定具を固定せざるを得ず、この場合、当該固定具の係止部の位置に制限されて無機質板を係止する必要があり、無機質板の所望な位置にスリットを形成することができない場合があった。このため、無機質板の所望な位置に工場で予めスリットを形成することができず、現場で対応せざるを得なかった。その結果、無機質板の強度が確保されない場合があった。
【００６９】
例えば実施形態１において、係止板部１１と固定部１２とが別体であり、固定部が固定板部である場合、固定板部を被施工面に固定する工程（ｉｖ）が無機質板を被施工面に接着する工程（ｉｉｉ）より後であるため、固定板部の位置合わせが容易となる。例えば図１および図３に示すように、被施工面３に張り付けられた無機質板２の上端から出ている固定具１の係止板部１１の折り返し部Ｕに、固定具１の固定板部１２を水平方向に挟み込む。これにより、固定板部１２は、被施工面３に接着された無機質板２を係止する係止板部１１に略直交に接続される。被施工面３の内側に配置されているＬＧＳなどの下地５への固定に適した位置に固定板部１２を配置する。固定板部１２の下地５への固定は、先に説明した様に行われる。なお、固定具１の折り返し部Ｕの形成は現場にて行なってもよいが、工場で予め形成しておくことが望ましい。これにより、精度が担保される。
【００７０】
例えば実施形態１において、係止板部１１と固定部１２とが別体であり、固定部が固定線部である場合、固定線部１２を被施工面３に固定する工程が無機質板２を被施工面３に接着する工程より後であるため、固定線部１２の位置合わせが容易となる。本発明の一つの態様によれば、例えば図２および図３に示すように、被施工面３に張り付けられた無機質板２の上端から出ている固定具１の係止板部１１の折り返し部分に、固定具１の固定線部１２を通す。これにより、固定線部１２は、被施工面３に接着された無機質板２を係止する係止板部１１に接続される。係止板部１１の折り返し部Ｕに通された線材１２を、この折り返し部分から見て左右両方向に配置されている２つの下地の適切な位置に固定する。線材１２の下地への固定は、先に説明した様に行われる。
【００７１】
例えば実施形態１−２において、係止板部１１と固定部１２（固定板部または固定線部）とが別体である場合、たとえば、無機質板２の上端から出ている係止板部１１の折り返し部Ｕに、挟み込まれた固定板部１２または通された固定線部１２を上方に引っ張りあげ、係止板部１１が無機質板２に確実に係止していること、すなわち係止板部１１による無機質板２の仮止めが確実になされていることを確認する。そして、係止板部１１に遊びが無くなった位置、すなわち係止板部１１にテンションがかかった位置で、固定板部１２を下地５に固定部品で固定する。従って、無機質板を被施工面に固定する際、無機質板が係止板部により確実に係止されていることを確認することにより、既に実施された接着による固定と、その後に実施される固定具による固定の２つの手段による無機質板の被施工面への二重化された固定を確実に実施することができる。
【００７２】
本発明の一つの態様によれば、固定具の係止板部で無機質板を係止する工程と、無機質板を被施工面に張り付ける工程との間に、例えば無機質板の下端部と被施工面３との間に、無機質板２の荷重を受けるための部品（例えば、金具）６を施工してもよい。これにより、接着による第一の固定力が弱まり無機質板が剥離したときに、スリットに荷重が集中するのを分散して破損を防ぐことができる。さらに、場合によっては、固定具で係止されている無機質板上部が被施工面の手前側に浮き上がる、つまり無機質板が傾くことで剥離を視認できるので、速やかに修理に着手できる。なお、固定具１の係止板部１１が荷重受け部品６の位置に重複する場合は、荷重受け部品は好ましくは後施工とされる。
【００７３】
本発明による構造物
本発明による構造物は、本発明による固定方法により得られる、被施工面３と、当該被施工面３に固定された無機質板２とを備えてなる構造物である。この構造物は、固定具１の構造を複雑化することなく、無機質板２の割付など施工の自由度を有し、固定具１と無機質板２との係止力、固定具１と被施工面３との固定力に優れ、その結果、無機質板２と被施工面３との固定力に優れた施工システムの実現により得ることが可能となる。
【００７４】
より具体的には、本発明による構造物は、
被施工面と、当該被施工面に固定された無機質板とを備えてなる構造物であって、
前記無機質板が、固定具および接着層を介して前記被施工面に固定されてなり、
前記無機質板の裏面に形成されたスリットに、前記固定具の係止板部がその一端側に有する係止部が係止され、かつ、前記無機質板の裏面に前記固定具の係止板部が面で接してなり、
前記固定具の固定部が、前記被施工面に固定され、かつ当該被施工面に接してなり、
前記固定部が、前記係止板部の、前記係止部がある一端側とは反対側の他端側に、当該係止板部と交差して接続されてなり、
前記係止板部の、前記無機質板の裏面に面で接してなる面とは反対側の面が、前記被施工面に接してなる構造物である。
【００７５】
本発明のより好ましい態様によれば、構造物において、固定具１の、係止部１３以外の係止板部１１と固定板部１２とからなる部分の厚みが、接着層４の厚みよりも小である。
【００７６】
本発明の好ましい態様によれば、本発明の構造物は壁である。また、本発明の好ましい態様によれば、本発明の構造物において、固定具は、固定部品によって被施工面に固定されてなり、この固定部品は、係止部よりも低い位置には存在しないことを特徴とする。また、本発明のより好ましい態様によれば、固定板部と係止板部との接続位置が、係止部よりも低い位置には存在しないことを特徴とする。これにより、接着剤の接着力が低下しても無機質板が落下しない程度の係止力を、施工の段階から、確実に得ることが可能となる。
【符号の説明】
【００７７】
１・・固定具、２・・無機質板、３・・被施工面、４・・接着層、５・・下地、６・・荷重受け部品、１１・・係止板部、１２・・固定部（固定板部または固定線部）、１３・・係止部、１４・・固定部品、１５・・つまみ部、２１・・無機質板の裏面、２２・・スリット
【図１】
2018053686.tif 000003
【図２】
2018053686.tif 000004
【図３】
2018053686.tif 000005
【図４】
2018053686.tif 000006
【図５】
2018053686.tif 000007
【図６】
2018053686.tif 000008
【図７】
2018053686.tif 000009
【図８】
2018053686.tif 000010
【図９】
2018053686.tif 000011
【図１０】
2018053686.tif 000012
【図１１】
2018053686.tif 000013